(57)【要約】【課題】表示部に対して制御部が上下逆に配置された液晶表示素子のいずれにも適用可能なカラーフィルタ基板を提供する。また、かかる液晶表示素子のいずれについても、自然な画像表示で且つ従来より簡便に製造できる液晶表示素子の製造方法を提供する。【解決手段】カラーフィルタ基板１では、基板２の上に１つのカラーフィルタ３が設けられている。カラーフィルタ３は点対称な形状であり、基板２の中心点とカラーフィルタ３の中心点とが一致する。したがって、カラーフィルタ基板１は、表示部に対して制御部が上下逆に配置された液晶表示素子のいずれにも適用することができる。【選択図】図１
2007121659.tif 000002
【特許請求の範囲】
【請求項１】
基板上に１つのカラーフィルタが設けられたカラーフィルタ基板であって、
前記カラーフィルタは点対称な形状であり、前記基板の中心点と前記カラーフィルタの中心点とが一致することを特徴とするカラーフィルタ基板。
【請求項２】
請求項１に記載のカラーフィルタ基板を用いることを特徴とする液晶表示素子の製造方法。
【請求項３】
基板上に複数のカラーフィルタが設けられたカラーフィルタ基板において、
前記複数のカラーフィルタは全て同じ形状であって、前記基板上に点対称に配置されており、さらに、前記基板の中心点と前記複数のカラーフィルタの対称心とが一致することを特徴とするカラーフィルタ基板。
【請求項４】
請求項３に記載のカラーフィルタ基板を用いることを特徴とする液晶表示素子の製造方法。
【発明の詳細な説明】
【技術分野】
【０００１】
本発明は、カラーフィルタ基板および液晶表示素子の製造方法に関する。
【背景技術】
【０００２】
一般に、液晶表示素子は、所定の方向に配向した数μｍ程度の極薄い液晶層と、この液晶層を挟持する一対の薄い基板と、さらに、この基板を挟持して偏光子および検光子を構成する一対の偏光板とを有する。基板には、液晶層を挟んで向かい合う一対の透明電極が形成されている。この透明電極に電圧を加えると、電極間で電場が発生し、液晶分子の配向が変化する。これにより、液晶表示素子を透過する光の量を変えることができる。また、基板の一方にカラーフィルタを設けることによって、透過する光を着色してカラー表示を行うことが可能となる。
【０００３】
このように、液晶表示素子は、比較的単純な構造からなっている。また、構成部材の選択によって薄型化および軽量化が容易であり、また、低電圧での駆動も可能であることから、近年では、車両用の表示素子や、携帯電話をはじめとする携帯情報端末用の表示素子として盛んに利用されている。
【０００４】
このような液晶表示素子は、駆動方法と液晶パネルの構造の違いによって、ＳＴＮ（Ｓｕｐｅｒ  Ｔｗｉｓｔｅｄ  Ｎｅｍａｔｉｃ）液晶方式と、ＴＦＴ（Ｔｈｉｎ  Ｆｉｌｍ  Ｔｒａｎｓｉｓｔｏｒ）液晶方式の２つに大別される。ＳＴＮ液晶方式は、パッシブマトリクス方式または単純マトリクス方式とも呼ばれ、線順次走査による時分割駆動によって文字や記号の表示が行われる。一方、ＴＦＴ液晶方式は、アクティブマトリクス方式とも呼ばれ、駆動は、高速でのスイッチングが可能な薄膜トランジスタによって行われる。
【０００５】
ＴＦＴ液晶パネルでは、例えば、表面側（視認者側）に配設される基板に、カラーフィルタを介して透明電極が設けられたカラーフィルタ基板が用いられる。一方、裏面側（視認者とは反対の側）に配設される基板には、パターニングされた透明電極およびＴＦＴと、これらを接続する配線とからなるＴＦＴアレイが設けられたアレイ基板が用いられる。そして、電極を通じて液晶層の所定領域に電圧を印加すると、その領域における液晶の配向が変化する。また、カラーフィルタによって、これを透過する特定波長領域の光の量が制御される。すなわち、視認者が感受する光の波長と量が制御されることによって、所望のカラー表示を行うことができるようになる。
【０００６】
ところで、液晶表示素子の表示方式には、文字や表示したい絵の形にパターニングした電極を用い、いわゆるキャラクタ表示を行うセグメント方式と、文字をドットの集合体で表示するドットマトリクス方式とがある。ここで、各ドットは画素と称され、画素が集まって文字を形成したものは文字フォントと称される。
【０００７】
セグメント方式は、主として電卓などの簡易な表示に採用される。これに対して、液晶ＴＶや携帯電話機の主画面などの高品位の表示が必要とされる用途には、ドットマトリクス方式が採用される。ドットマトリクス方式では、文字のドット数が多いほど、きれいな文字を表示することが可能となる。
【０００８】
カラー表示を行うドットマトリクス方式の液晶表示素子においては、各画素は、さらに、赤色（Ｒ）、緑色（Ｇ）および青色（Ｂ）の３原色を出すための３つのサブ画素に分割される。具体的には、アレイ基板の１画素には、Ｒ、Ｇ、Ｂを出すための３つのＴＦＴアレイが１組となって用いられている。一方、カラーフィルタ基板の各ＴＦＴアレイに対応する位置には、Ｒ、Ｇ、Ｂの各色が配設され、これらを１組として１画素分のカラーフィルタを構成している。すなわち、カラーフィルタ基板においても、１画素がＲ、Ｇ、Ｂに対応する領域に分割されている。そして、１画素を構成する３つのＴＦＴアレイを独立に制御することによって、対応する領域の液晶を駆動するとともに、カラーフィルタによって各色の光量を独立に制御することによって、白色および黒色を含む実質的に全ての色を１画素内で出している。
【発明の開示】
【発明が解決しようとする課題】
【０００９】
近年、小型の情報表示画面において、表示すべき情報の量は急増している。特に、携帯電話機などの携帯情報端末などでその傾向は顕著である。そして、これに伴って、表示画像の画質もより美しいもの（文字表示であれば、滑らかな線で構成された読みやすい自然な文字表示）が求められるようになっている。
【００１０】
ドットマトリクス方式では、文字のドット数を多くすることによって、画質を向上させてより自然な文字表示を実現することができる。しかし、携帯電話機などでは画面サイズが限られており、こうした中でドット数を多くするには、液晶表示素子の高精細化が必要となる。このため、製造コストの上昇や、製品価格の上昇を招くという問題があった。また、通常のＴＦＴ駆動型液晶表示素子では、高精細化に対して技術的な限界もあった。
【００１１】
こうした問題に対して、アンチエイリアシングと呼ばれる技術が提案されている。これは、ドット数は変更せずに、中間調表示を利用することによって、より自然な画像表示を可能とするものである。
【００１２】
図３（ａ）および（ｂ）を用いて、アンチエイリアシング技術についてさらに説明する。
【００１３】
図３（ａ）は、ドットマトリクス方式の液晶表示素子１０１において、文字「Ａ」を表示した場合を示している。尚、図では、画素１０２の内の斜線を施した箇所が点灯している画素を表している。図から分かるように、文字「Ａ」を構成する斜め線が滑らかには表示されておらず、画素１０２の形状と配置に由来してギザギザとしている。このため、液晶表示素子１０１の画像視認者に対して、読みやすく自然な表示を提供することができない。
【００１４】
図３（ｂ）は、ドットマトリクス方式の液晶表示素子１０３において、アンチエイリアシングの手法を取り入れて文字「Ａ」を表示した場合を示している。図から分かるように、画素１０４に中間調表示を取り入れることによって、図３（ａ）に比較して、文字「Ａ」を構成する斜め線を滑らかに表現できるようになる。しかしながら、この場合においても、十分に読みやすく自然な表示には至っていない。また、より小さな文字フォントが求められる場合、この手法では、十分な表示改善機能を発揮できないことも明らかになっている。
【００１５】
そこで、カラー表示可能な液晶表示素子において、各画素が３つのサブ画素から構成されていることに着目し、各サブ画素を便宜的に１画素として扱うことによって、より滑らかで自然な表示を実現する手法が提案されている。図４（ａ）および（ｂ）を用いて、この手法について説明する。
【００１６】
図４（ａ）は、ドットマトリクス方式の液晶表示素子２０１において、図３（ａ）と同様にして文字「Ａ」を表示した図である。また、図４（ｂ）は、上記手法を取り入れて文字「Ａ」を表示した場合を示している。
【００１７】
図４（ａ）の液晶表示素子２０１では、文字「Ａ」を構成する斜め線が滑らかに表示されていない。一方、図４（ｂ）の液晶表意素子２０３では、より自然で滑らかな表示が実現されている。これは、図４（ａ）では、点灯の有無を画素２０２単位で制御していたのに対し、図４（ｂ）では、画素２０４を構成するサブ画素（２０５，２０６，２０７）単位で制御していることによる。すなわち、サブ画素毎に点灯または非点灯の信号を送ることによって、小さな文字フォントであっても滑らかで自然な文字表示が可能となる。
【００１８】
さらに、上記手法とカラーフィルタとの関係について、図５（ａ）および（ｂ）を用いて説明する。図５（ａ）において、表示画面３０１は、太線で囲まれた縦８ドット×横７ドットの画素からなっている。また、各画素は、３つのサブ画素からなり、これらは、それぞれ図の左から順に配列するＲ、Ｇ、Ｂに対応している。
【００１９】
図５（ａ）に示すように、文字「Ａ」を表示する場合、図の上から１行目で左から４列目にある画素３０２内のＲサブ画素３０３、Ｇサブ画素３０４およびＢサブ画素３０５を点灯した状態にする。また、２行目の４列目にある画素３０６内のＲサブ画素３０７、Ｇサブ画素３０８およびＢサブ画素３０９も点灯した状態にする。さらに、その左隣りの画素内ではＢサブ画素３１０のみを点灯し、右隣りの画素内ではＲサブ画素３１１のみを点灯する。また、３行目の４列目にある画素内では、両端のＲサブ画素３１２とＢサブ画素３１３のみを点灯する。そして、その左隣りの画素内では、Ｇサブ画素３１４とＢサブ画素３１５を点灯し、右隣りの画素内では、Ｒサブ画素３１６とＧサブ画素３１７を点灯する。
【００２０】
このように、各画素を構成するサブ画素に対して、点灯または非点灯の信号を送ることによって、上述の通り、滑らかで自然な画像表示を実現することが可能となる。しかしながら、信号を送る側が認識しているＲ、Ｇ、Ｂの並び順と、画素内におけるＲ、Ｇ、Ｂの実際の並び順とが異なる場合には、次のような問題が生じる。以下、この問題について、図５（ｂ）を用いて説明する。
【００２１】
図５（ｂ）は、図５（ａ）と同様の信号を送って、表示画面３１８に文字「Ａ」を表示したものである。しかし、この図から明らかであるように、図５（ａ）に比べて、図５（ｂ）の表示品位は著しく低下している。これは、図５（ｂ）では、サブ画素が、左からＢ、Ｇ、Ｒの順で配列していることに起因している。
【００２２】
図５（ｂ）において、上から１行目で左から４列目にある画素３１９内のＢサブ画素３２０、Ｇサブ画素３２１およびＲサブ画素３２２は全て点灯している。また、２行目の４列目にある画素３２３内のＢサブ画素３２４、Ｇサブ画素３２５およびＲサブ画素３２６も全て点灯している。これらのサブ画素が全て点灯している点では、図５（ａ）と同様である。しかし、その左隣りの画素内ではＢサブ画素３２７が点灯し、右隣りの画素内ではＲサブ画素３２８が点灯している点で図５（ａ）と異なっている。
【００２３】
また、３行目の４列目にある画素内で両端のサブ画素が点灯している点では図５（ａ）と同様であるものの、その左隣りの画素内ではＢサブ画素３２９とＧサブ画素３３０が点灯し、右隣りの画素内ではＧサブ画素３３１とＲサブ画素３３２が点灯している点で異なっている。
【００２４】
すなわち、図５（ａ）と図５（ｂ）では、同じ色のサブ画素を点灯しているにもかかわらず、Ｒ、Ｇ、Ｂの並び順が異なっているために、図５（ｂ）では所望の位置にあるサブ画素を点灯することができない。したがって、図５（ｂ）では、図５（ａ）に比べて表示品位が著しく低下してしまう。こうした事態は、具体的には、次のような場合に発生する。
【００２５】
図６（ａ）は、液晶駆動用ＩＣなどの装置が配設された制御部４０１が、画像表示部４０２の下側に配置された液晶表示素子４００の模式図である。また、図６（ｂ）は、制御部４０４が画像表示部４０５の上側に配置された液晶表示素子４０３の模式図である。
【００２６】
図６（ａ）の液晶表示素子４００を通常仕様として製造している場合において、図６（ｂ）の液晶表示素子４０３を製造する際には、アレイ基板とカラーフィルタ基板とを重ね合わせた後に、１８０度回転させるのが最も簡便な方法である。しかし、この方法では、例えば、視認方向から見たときに左からＲ、Ｇ、Ｂの順で配列していたサブ画素が、回転によってＢ、Ｇ、Ｒの順で配列することになり、図５（ｂ）で説明したような表示品位の低下を引き起こしてしまう。
【００２７】
こうした問題を回避するには、並び順の異なる２種類のカラーフィルタ基板を予め用意しておき、各仕様に応じてカラーフィルタ基板を使い分けることが考えられる。しかしながら、この方法では、製造コストの上昇を招くことになり好ましくない。
【００２８】
一方、サブ画素の配置のみに着目するならば、アレイ基板に対して、カラーフィルタ基板のみを１８０度回転させてから、これらを重ね合わせることも考えられる。
【００２９】
図７（ａ）は、図６（ａ）の液晶表示素子用のカラーフィルタ基板５０１の平面模式図である。図７（ａ）において、符号５０２はカラーフィルタを示している。また、図７（ｂ）は、図６（ａ）の液晶表示素子用のアレイ基板５０３の平面模式図である。図７（ｂ）において、符号５０４はＴＦＴアレイを示している。さらに、図７（ｃ）は、図５（ａ）のカラーフィルタ基板５０１を１８０度回転させた状態を示している。
【００３０】
図７（ａ）のカラーフィルタ基板５０１と、図７（ｂ）のアレイ基板５０３とを重ね合わせることによって、図６（ａ）に示す液晶表示素子４００を製造することができる。尚、図７（ａ）の点線部は、カラーフィルタ基板５０１にアレイ基板５０３が重ね合わされたときに、ＴＦＴアレイ５０４の制御部５０５が配される位置を表している。
【００３１】
しかしながら、図７（ｃ）の状態のカラーフィルタ基板５０１を、図７（ｂ）のアレイ基板５０３に重ね合わせることはできない。これは、図７（ｃ）のカラーフィルタ基板５０１で想定される画素の位置と、図７（ｂ）のアレイ基板５０３で想定される画素の位置とがずれているからである。したがって、これらの基板を重ね合わせても、図６（ｂ）に示す液晶表示素子４０３を製造することはできない。
【００３２】
このように、従来のカラーフィルタ基板では、図６（ａ）の液晶表示素子を製造することはできても、これを用いて図６（ｂ）の液晶表示素子を製造することは困難であった。
【００３３】
本発明は、こうした問題点に鑑みてなされたものである。すなわち、本発明の目的は、表示部に対して制御部が上下逆に配置された液晶表示素子のいずれにも適用可能なカラーフィルタ基板を提供することにある。
【００３４】
また、本発明の目的は、表示部に対して制御部が上下逆に配置された液晶表示素子のいずれについても、自然な画像表示で且つ従来より簡便に製造できる液晶表示素子の製造方法を提供することにある。
【００３５】
本発明の他の目的および利点は以下の記載から明らかとなるであろう。
【課題を解決するための手段】
【００３６】
本発明の第１の態様は、基板上に１つのカラーフィルタが設けられたカラーフィルタ基板であって、カラーフィルタは点対称な形状であり、基板の中心点とカラーフィルタの中心点とが一致することを特徴とするものである。
【００３７】
本発明の第２の態様は、基板上に１つのカラーフィルタが設けられたカラーフィルタ基板であって、カラーフィルタは点対称な形状であり、基板の中心点とカラーフィルタの中心点とが一致するカラーフィルタ基板を用いることを特徴とする液晶表示素子の製造方法に関する。
【００３８】
本発明の第３の態様は、基板上に複数のカラーフィルタが設けられたカラーフィルタ基板において、複数のカラーフィルタは全て同じ形状であって、基板上に点対称に配置されており、さらに、基板の中心点と複数のカラーフィルタの対称心とが一致することを特徴とするものである。
【００３９】
本発明の第４の態様は、基板上に複数のカラーフィルタが設けられたカラーフィルタ基板において、複数のカラーフィルタは全て同じ形状であって、基板上に点対称に配置されており、さらに、基板の中心点と複数のカラーフィルタの対称心とが一致するカラーフィルタ基板を用いることを特徴とする液晶表示素子の製造方法に関する。
【発明の効果】
【００４０】
本発明の第１の態様によれば、カラーフィルタが点対称な形状であり、基板の中心点とカラーフィルタの中心点とが一致するので、表示部に対して制御部が上下逆に配置された液晶表示素子のいずれにも、このカラーフィルタ基板を適用することができる。
【００４１】
本発明の第２の態様によれば、カラーフィルタが点対称な形状であり、基板の中心点とカラーフィルタの中心点とが一致するカラーフィルタ基板を用いるので、表示部に対して制御部が上下逆に配置された液晶表示素子のいずれをも、自然な画像表示で且つ従来より簡便に製造することができる。
【００４２】
本発明の第３の態様によれば、複数のカラーフィルタは全て同じ形状であって、基板上に点対称に配置されており、さらに、基板の中心点と複数のカラーフィルタの対称心とが一致するので、表示部に対して制御部が上下逆に配置された液晶表示素子のいずれにも、このカラーフィルタ基板を適用することができる。
【００４３】
本発明の第４の態様によれば、複数のカラーフィルタは全て同じ形状であって、基板上に点対称に配置されており、さらに、基板の中心点と複数のカラーフィルタの対称心とが一致するカラーフィルタ基板を用いるので、表示部に対して制御部が上下逆に配置された液晶表示素子のいずれについても、自然な画像表示で且つ従来より簡便に製造することができる。
【発明を実施するための最良の形態】
【００４４】
実施の形態１．
図１（ａ）は、本実施の形態におけるカラーフィルタ基板の平面模式図である。また、図１（ｂ）は、（ａ）のカラーフィルタ基板に対応するアレイ基板の平面模式図である。
【００４５】
図１（ａ）に示すように、カラーフィルタ基板１は、基板２の上に、カラーフィルタ３が１つ形成された構造を有する。ここで、カラーフィルタ３は点対称な形状であって、また、図の破線で示すように、基板２の中心点とカラーフィルタ３の中心点とが一致するように設けられている。
【００４６】
一方、図１（ｂ）に示すように、アレイ基板４は、基板５の上に、ＴＦＴアレイ６が１つ形成された構造を有する。ここで、ＴＦＴアレイ６は、アレイ基板４をカラーフィルタ基板１と重ね合わせたときに、基板５上でカラーフィルタ３と重なる位置に設けられる。尚、図１（ａ）の点線部は、カラーフィルタ基板１にアレイ基板４が重ね合わされたときに、ＴＦＴアレイ６の制御部７が配される位置を表している。
【００４７】
したがって、カラーフィルタ基板１とアレイ基板４とを重ね合わせ、これらによって適当な液晶（図示せず）を挟持することにより、液晶表示素子（図示せず）を製造することができる。この液晶表示素子は、図６（ａ）に示す制御部４０１が画像表示部４０２の下側に配置された液晶表示素子４００と同様の配置となる。また、カラーフィルタのサブ画素がＲ、Ｇ、Ｂの順で配列しているとすると、この並び順にしたがって各サブ画素に点灯または非点灯の信号を送ることによって、滑らかで自然な画像表示を実現することが可能となる。
【００４８】
図１（ｃ）は、図１（ａ）のカラーフィルタ基板１を１８０度回転させた状態を示している。上述したように、カラーフィルタ３は点対称な形状であって、基板２の中心点とカラーフィルタ３の中心点とが一致するように設けられているので、図１（ｃ）のカラーフィルタ基板１は、図１（ｂ）のアレイ基板４と重ね合わせることができる。
【００４９】
尚、図１（ｃ）の点線部は、図１（ａ）と上下が逆であることを説明するために便宜上記載したものに過ぎず、図１（ｃ）のカラーフィルタ基板１に、図１（ｂ）のアレイ基板４を重ね合わせたときに、基板２上でＴＦＴアレイ６の制御部７が配される位置に対応するものではない。（実際には、制御部７は、図１（ｃ）でカラーフィルタ３の下側に配される。）
【００５０】
図１（ｃ）のカラーフィルタ基板１と、図１（ｂ）のアレイ基板４とを重ね合わせ後、組み立ておよび切断を行ってから、適当な液晶（図示せず）を挟持して１８０度回転させると、図６（ｂ）に示す制御部４０４が画像表示部４０５の上側に配置された液晶表示素子４０３と同様の配置の液晶表示素子を製造することができる。この液晶表示素子は、カラーフィルタのサブ画素がＲ、Ｇ、Ｂの順で配列しているので、図１（ａ）のカラーフィルタ基板１を重ね合わせて得られた液晶表示素子と同様の信号を送っても画質を低下させることがない。
【００５１】
このように、本実施の形態では、基板上に設けられたカラーフィルタが点対称な形状であり、また、基板の中心点とカラーフィルタの中心点とが一致するようにカラーフィルタを配置しているので、表示部に対して制御部が上下逆に配置された液晶表示素子のいずれにも適用可能なカラーフィルタ基板とすることができる。すなわち、このカラーフィルタ基板を１８０度回転させてからアレイ基板と重ね合わせることによって、表示部に対して制御部が上下逆に配置された液晶表示素子であって、且つ、自然な画像表示が可能な液晶表示素子を製造することができる。したがって、サブ画素がＲ、Ｇ、Ｂの順で配列したカラーフィルタ基板と、Ｂ、Ｇ、Ｒの順で配置されたカラーフィルタ基板の各々を準備しておく必要がなく、１種類のカラーフィルタ基板のみを用意すればよいので、従来より液晶表示素子を簡便に製造することが可能となり、製造コストの低減を図ることもできる。
【００５２】
実施の形態２．
図２（ａ）は、本実施の形態におけるカラーフィルタ基板の平面模式図である。また、図２（ｂ）は、（ａ）のカラーフィルタ基板に対応するアレイ基板の平面模式図である。
【００５３】
図２（ａ）に示すように、カラーフィルタ基板１１は、基板１２の上に、複数のカラーフィルタ１３が形成された構造を有する。ここで、複数のカラーフィルタ１３は、全て同じ形状であって、基板１２上で点対称となるように配置されている。そして、基板１２の中心点と、複数のカラーフィルタ１３の対称心とは一致する。
【００５４】
また、図２（ｂ）に示すように、アレイ基板１４には、基板１５の上に、複数のＴＦＴアレイ１６が形成された構造を有する。ここで、ＴＦＴアレイ１６は、全て同じ形状であって、アレイ基板１４をカラーフィルタ基板１１と重ね合わせたときに、基板１５上でカラーフィルタ１３と重なる位置に設けられる。尚、図２（ａ）の点線部は、カラーフィルタ基板１１にアレイ基板１４が重ね合わされたときに、ＴＦＴアレイ１６の制御部１７が配される位置を表している。
【００５５】
したがって、カラーフィルタ基板１１とアレイ基板１４とを重ね合わせた後、組み立て、切断を行ってから、これらの基板の間に適当な液晶（図示せず）を注入すると、液晶表示素子（図示せず）を製造することができる。この液晶表示素子は、図６（ａ）に示す制御部４０１が画像表示部４０２の下側に配置された液晶表示素子４００と同様の配置となる。また、カラーフィルタのサブ画素がＲ、Ｇ、Ｂの順で配列しているとすると、この並び順にしたがって各サブ画素に点灯または非点灯の信号を送ることによって、滑らかで自然な画像表示を実現することが可能となる。
【００５６】
図２（ｃ）は、図２（ａ）のカラーフィルタ基板１１を１８０度回転させた状態を示している。上述したように、カラーフィルタ１３は全て同じ形状であって、基板１２上に点対称に配置されており、さらに、基板１２の中心点と複数のカラーフィルタ１３の対称心とが一致するように設けられているので、図２（ｃ）のカラーフィルタ基板１１は、図２（ｂ）のアレイ基板１４と重ね合わせることができる。
【００５７】
尚、図２（ｃ）の点線部は、図２（ａ）と上下が逆であることを説明するために便宜上記載したものに過ぎず、図２（ｃ）のカラーフィルタ基板１１に、図２（ｂ）のアレイ基板１４を重ね合わせたときに、基板１２上でＴＦＴアレイ１６の制御部１７が配される位置に対応するものではない。（実際には、制御部１７は、図２（ｃ）でカラーフィルタ１３の下側に配される。）
【００５８】
図２（ｃ）のカラーフィルタ基板１１と、図２（ｂ）のアレイ基板１４とを重ね合わせ後、組み立ておよび切断を行ってから、適当な液晶（図示せず）を挟持して１８０度回転させると、図６（ｂ）に示す制御部４０４が画像表示部４０５の上側に配置された液晶表示素子４０３と同様の配置の液晶表示素子を製造することができる。この液晶表示素子は、カラーフィルタのサブ画素がＲ、Ｇ、Ｂの順で配列しているので、図２（ａ）のカラーフィルタ基板１１を重ね合わせて得られた液晶表示素子と同様の信号を送っても画質を低下させることがない。
【００５９】
このように、本実施の形態では、複数のカラーフィルタが全て同じ形状であって、基板上に点対称に配置されており、さらに、基板の中心点と複数のカラーフィルタの対称心とが一致するので、表示部に対して制御部が上下逆に配置された液晶表示素子のいずれにも適用可能なカラーフィルタ基板とすることができる。すなわち、このカラーフィルタ基板を１８０度回転させてからアレイ基板と重ね合わせることによって、表示部に対して制御部が上下逆に配置された液晶表示素子であっても、自然な画像表示が可能な液晶表示素子を製造することができる。したがって、サブ画素がＲ、Ｇ、Ｂの順で配列したカラーフィルタ基板と、Ｂ、Ｇ、Ｒの順で配置されたカラーフィルタ基板の各々を準備しておく必要がなく、１種類のカラーフィルタ基板のみを用意すればよいので、従来より液晶表示素子を簡便に製造することが可能となり、製造コストの低減を図ることもできる。
【００６０】
また、本実施の形態では、カラーフィルタ基板１１およびアレイ基板１４に、カラーフィルタ１３またはＴＦＴアレイ１６を複数設けているので、これらの基板を重ね合わせることによって、同時に複数の液晶表示素子を製造することができる。
【００６１】
尚、本発明は上記実施の形態に限定されるものではなく、本発明の趣旨を逸脱しない範囲内において、種々変形して実施することができる。
【図面の簡単な説明】
【００６２】
【図１】（ａ）は実施の形態１におけるカラーフィルタ基板の平面模式図、（ｂ）は（ａ）のカラーフィルタ基板に対応するアレイ基板の平面模式図、（ｃ）は（ａ）のカラーフィルタ基板を１８０度回転させた図である。
【図２】（ａ）は実施の形態２におけるカラーフィルタ基板の平面模式図、（ｂ）は（ａ）のカラーフィルタ基板に対応するアレイ基板の平面模式図、（ｃ）は（ａ）のカラーフィルタ基板を１８０度回転させた図である。
【図３】（ａ）および（ｂ）は、従来の表示方法の説明図である。
【図４】（ａ）および（ｂ）は、従来の表示方法の説明図である。
【図５】（ａ）および（ｂ）は、従来の表示方法の説明図である。
【図６】（ａ）は制御部が画像表示部の下側に配置された液晶表示素子の模式図、（ｂ）は制御部が画像表示部の上側に配置された液晶表示素子の模式図である。
【図７】（ａ）は従来のカラーフィルタ基板の平面模式図、（ｂ）は（ａ）のカラーフィルタ基板に対応するアレイ基板の平面模式図、（ｃ）は（ａ）のカラーフィルタ基板を１８０度回転させた図である。
【符号の説明】
【００６３】
１，１１，５０１  カラーフィルタ基板
２，５，１２，１５  基板
３，１３，５０２  カラーフィルタ
４，１４，５０３  アレイ基板
６，１６，５０４  ＴＦＴアレイ
７，１７，４０１，４０４，５０５  制御部
１０１，１０３，２０１，２０３，４００，４０３  液晶表示素子
３０１，３１８  表示画面
２０２，２０４，３０２，３０６，３１９，３２３  画素
２０５〜２０７，３０３〜３０５，３０７〜３１７，３２０〜３２２，３２４〜３３２  サブ画素
４０２，４０５  画像表示部
【図１】
2007121659.tif 000003
【図２】
2007121659.tif 000004
【図３】
2007121659.tif 000005
【図４】
2007121659.tif 000006
【図５】
2007121659.tif 000007
【図６】
2007121659.tif 000008
【図７】
2007121659.tif 000009